(57)【要約】【課題】  種々の被記録媒体に対して搬送途中での浮き上がりを完全に防止して記録ヘッドとの擦れを防止することができる記録装置と液体噴射装置を提供すること。【解決手段】  記録ヘッドと対向し、被記録媒体の搬送を案内する第１の案内面２１４ａを有する第１の案内部材２１４と、この第１の案内部材に対し搬送下流側に配設されて前記被記録媒体の搬送を案内する第２の案内面２１５ａを有する第２の案内部材２１５とを備え、前記第２の案内面が前記第１の案内面よりも低く、当該両案内面を繋ぐ第３の案内面２１７ａに段部２１７が設けられている。これにより、被記録媒体の先端が第１の案内面から垂れ下がったとき、第３の案内面により支持されるので、被記録媒体には浮き上がり方向とは逆方向の力が掛かることになり、被記録媒体の浮き上がりを防止して記録ヘッドとの擦れを防止することができる。【選択図】      図５
2006224506.tif 000002
【特許請求の範囲】
【請求項１】
被記録媒体を搬送・記録する記録装置であって、
記録ヘッドと対向し、前記被記録媒体の搬送を案内する第１の案内面を有する第１の案内部材と、
この第１の案内部材に対し搬送下流側に配設されて前記被記録媒体の搬送を案内する第２の案内面を有する第２の案内部材とを備え、
前記第２の案内面が前記第１の案内面よりも低く、当該両案内面を繋ぐ第３の案内面に段部が設けられていることを特徴とする記録装置。
【請求項２】
前記段部の高さは、前記被記録媒体の湾曲度合いに基づいて設定されることを特徴とする請求項１に記載の記録装置。
【請求項３】
前記段部は、第１の傾斜面と平坦面と第２の傾斜面が連続する形状に形成されていることを特徴とする請求項１又は２に記載の記録装置。
【請求項４】
前記被記録媒体を吸引する吸引部が少なくとも前記第１の案内面と前記第３の案内面に設けられていることを特徴とする請求項１〜３の何れか一項に記載の記録装置。
【請求項５】
被噴射媒体に液体を噴射する液体噴射装置であって、
請求項１〜４の何れか一項に記載の部材を備えたことを特徴とする液体噴射装置。
【発明の詳細な説明】
【技術分野】
【０００１】
本発明は、被記録媒体を搬送・記録する記録装置と液体噴射装置に関する。
【背景技術】
【０００２】
記録装置の１つであるインクジェット式プリンタには、媒体の１つであるロール紙に対して記録することができるものがある。このようなインクジェット式プリンタは、ロール紙のカール癖により記録ヘッド直下のロール紙が浮き上がることがあり、ロール紙が記録ヘッドに接触して汚染されてしまうという不具合が生じる場合がある。そこで、記録ヘッドと対向するプラテンの搬送下流側に配設されている紙案内部材の紙案内面を、プラテン面よりも下げてロール紙の先端を逃がし、記録ヘッド直下のロール紙の浮き上がりを防止するインクジェット式プリンタが提案されている（特許文献１参照）。
【０００３】
【特許文献１】特開２０００−１５８７３３号公報
【発明の開示】
【発明が解決しようとする課題】
【０００４】
上述したインクジェット式プリンタでは、ロール紙の先端がプラテン面から紙案内面に垂れ下がったとき、ロール紙の先端に近い部分がプラテン面と紙案内面の角部に当接する。ここで、ロール紙の腰が強い場合、ロール紙の先端に近い部分を支点として記録ヘッド直下のロール紙が浮き上がることになり、ロール紙が記録ヘッドに接触して汚染されてしまうという不具合が生じるおそれがある。
【０００５】
本発明は、上記のような種々の課題に鑑みなされたものであり、その目的は、種々の被記録媒体に対して搬送途中での浮き上がりを完全に防止して記録ヘッドとの擦れを防止することができる記録装置と液体噴射装置を提供することにある。
【課題を解決するための手段】
【０００６】
上記目的達成のため、本発明の被記録媒体を搬送・記録する記録装置では、記録ヘッドと対向し、前記被記録媒体の搬送を案内する第１の案内面を有する第１の案内部材と、この第１の案内部材に対し搬送下流側に配設されて前記被記録媒体の搬送を案内する第２の案内面を有する第２の案内部材とを備え、前記第２の案内面が前記第１の案内面よりも低く、当該両案内面を繋ぐ第３の案内面に段部が設けられていることを特徴としている。これにより、被記録媒体の先端が第１の案内面から垂れ下がったとき、第３の案内面により支持されるので、被記録媒体には浮き上がり方向とは逆方向の力が掛かることになり、被記録媒体の浮き上がりを防止して記録ヘッドとの擦れを防止することができる。
【０００７】
また、前記段部の高さは、前記被記録媒体の湾曲度合いに基づいて設定されることを特徴としている。これにより、被記録媒体の浮き上がりを確実に防止することができる。また、前記段部は、第１の傾斜面と平坦面と第２の傾斜面が連続する形状に形成されていることを特徴としている。これにより、被記録媒体の先端が第１の案内面から垂れ下がったときは、第１の傾斜面を滑って平坦面により支持されるので、被記録媒体には浮き上がり方向とは逆方向の力が掛かることになり、被記録媒体の浮き上がりを防止することができる。さらに、被記録媒体の先端が平坦面から垂れ下がったときは、第２の傾斜面を滑るので、それ以降は被記録媒体の自重により平坦となり、媒体の浮き上がりを防止することができる。また、前記媒体を吸引する吸引部が少なくとも前記第１の案内面と前記第３の案内面に設けられていることを特徴としている。これにより、被記録媒体の浮き上がりを完全に防止することができる。
【０００８】
上記目的達成のため、本発明の被噴射媒体に液体を噴射する液体噴射装置では、上記各媒体搬送装置を備えたことを特徴としている。これにより、上記各作用を奏する液体噴射装置を提供することができる。
【発明を実施するための最良の形態】
【０００９】
図１は、本発明の実施の形態に係る記録装置の１つであるインクジェット式プリンタの構成例を示す斜視図であり、図２は、そのインクジェット式プリンタの主要部の内部構成例を示す斜視図である。図１及び図２に示すインクジェット式プリンタ１００は、例えばＪＩＳ規格のＡ１判やＪＩＳ規格のＢ１判といった比較的大型のサイズの記録用紙にまで記録できる大型のプリンタであり、給紙部１１０、記録部１２０、排紙部１３０、脚部１４０がこの順で上部から配設された構成となっている。そして、本発明の特徴的な部分を含む搬送部２００が、給紙部１１０から記録部１２０にかけて配設されている。記録部１２０と排紙部１３０と搬送部２００は本体として一体化されており、給紙部１１０及び脚部１４０とそれぞれ分離可能に構成されている。
【００１０】
給紙部１１０は、図１に示すように、本体１２０、１３０の上部後方に突き出るように設けられている。そして、給紙部１１０の内部には、図２に示すように、１本のロール紙がセット可能なロール紙ホルダ１１１が設けられ、給紙部１１０の前面には、図１及び図２に示すように、跳ね上げ式の開閉可能なロール紙カバー１１２がロール紙ホルダ１１１を覆うように取り付けられている。
【００１１】
ロール紙ホルダ１１１は、図２に示すように、ロール紙を保持するスピンドル１１３及び一対のフランジ状のロール紙押さえ１１４と、給紙部１１０の両側壁内面に取り付けられて、スピンドル１１３の着脱及び懸架が可能な一対のスピンドル受け１１５を備えている。そして、スピンドル１１３は、中央にロール紙が填め込まれてロール紙押さえ１１４で挟持された状態で、両端がスピンドル受け１１５に載置され、回転可能に軸支持されるようになっている。ロール紙カバー１１２は、図１及び図２に示すように、全体が回動可能に支持されており、ユーザが下部を持って持ち上げ、あるいは押し下げることにより開閉するようになっている。
【００１２】
記録部１２０は、図２に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とをつなぐインクチューブ１２４等を備えている。そして、記録部１２０の上面及び前面には、図１及び図２に示すように、上蓋１２５及び前蓋１２６が記録ヘッド１２１やキャリッジ１２２等を覆うように取り付けられている。
【００１３】
記録ヘッド１２１は、ブラックインクを吐出するブラックインク用記録ヘッドと、ライトイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１４】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。
【００１５】
ＦＦＣ１２３は、一端が制御部のコネクタに接続され、他端が記録ヘッド１２１のコネクタに接続されており、記録信号を制御部から記録ヘッド１２１に送るようになっている。インクチューブ１２４は、上記各色のインク用が配設されており、図示しないインク加圧供給手段を介して各一端が対応する各色のインクカートリッジ１０につながれ、各他端が対応する各色の記録ヘッド１２１につながれている。そして、インクチューブ１２４は、インク加圧供給手段によって加圧された各色のインクをインクカートリッジ１０から記録ヘッド１２１に送るようになっている。
【００１６】
前蓋１２６は、図１及び図２に示すように、下部が回動可能に支持されており、ユーザが上部を持って押し下げ、あるいは押し上げることにより開閉するようになっている。ユーザは、前蓋１２６を開けることにより記録部１２０を大きく開放することができるので、記録ヘッド１２１やキャリッジ１２２等のメンテナンス作業を容易に行うことができる。
【００１７】
排紙部１３０は、図１及び図２に示すように、ロール紙を副走査方向に搬送する経路の一部を成す本発明の特徴的な部分である排紙ガイド１３１と、ロール紙を副走査方向に搬送する図示しない排紙ローラを備えている。排紙ガイド１３１は、前面側に突き出た平坦な傾斜面として形成されており、上方から搬送されてくるロール紙を下方へスムーズに導くことができるようになっている。
【００１８】
脚部１４０は、図１及び図２に示すように、移動用のコロ１４１を有する２本の支持柱１４２と、これらの支持柱１４２の間に掛け渡されている補強棒１４３を備えている。そして、支持柱１４２の上部に給紙部１１０及び本体１２０、１３０が載置されネジ止め固定されるようになっている。支持柱１４２に移動用のコロ１４１が配設されていることにより、重量のある給紙部１１０及び本体１２０、１３０を所望の位置へスムーズに移動させて設置することができるようになっている。なお、この脚部１４０の支持柱１４２の間には、排紙部１３０から排出されるロール紙を受ける排紙受け装置を設置することができるようになっている。
【００１９】
さらに、本体１２０、１３０の前面側から見て左側には、図１及び図２に示すように、各色のインクカートリッジ１０を収納保持するホルダ本体１５１とその前面を覆うカバー１５２を有するインクカートリッジホルダ１５０が配設されている。このインクカートリッジホルダ１５０は、ホルダ本体１５１に対しカバー１５２の下部が回動可能に支持されており、ユーザが上部を持って押し下げ、あるいは押し上げることにより開閉するようになっている。ホルダ本体１５１内に設けられている収納部は、図示左側から順にブラック、ライトイエロー、イエロー、ライトシアン、シアン、ライトマゼンタ、マゼンタの計７色のインクカートリッジ１０が個々に引き出し、押し入れ可能なように仕切られている。
【００２０】
また、本体１２０、１３０の前面側から見て右側上部には、図１及び図２に示すように、ユーザが記録制御等を操作するための操作パネル１６０が配設されている。この操作パネル１６０は、液晶画面と各種ボタンが配設されており、ユーザが液晶画面を見て確認しながらボタン操作できるようになっている。
【００２１】
図３は、上記搬送部２００の詳細を示す側面図である。搬送部２００は、給紙部１１０から記録部１２０にかけて配設された平坦な給紙ガイド２１１、対向配置された接触・離間可能な紙送りローラ２１２及び従動ローラ２１３、キャリッジ１２２に搭載された記録ヘッド１２１と対向配置された平坦な本発明の特徴的な部分であるプラテン（第１の案内部材）２１４及びこのプラテン２１４直下の搬送下流側に配置された本発明の特徴的な部分であるペーパーガイド（第２の案内部材）２１５、プラテン２１４及びペーパーガイド２１５上のロール紙を吸着する用紙吸引部２１６を備えている。なお、キャリッジ１２２には、記録完了したロール紙を切断するカッタ１２９が取り付けられている。
【００２２】
紙送りローラ２１２は、１本の長尺のローラとして形成されており、記録可能な最大用紙幅より若干大きい周面部分にはセラミック粉等がコーティングされている。これにより、紙送りの際の滑りを防止することができるので、ロール紙を高精度に送り出すことができる。この紙送りローラ２１２は、図示していないが、両端がサイドフレームに軸受を介して軸支持されており、紙送りモータからプーリ及びベルトを介して伝達される駆動力により正逆回転駆動するようになっている。
【００２３】
従動ローラ２１３は、複数個の短尺のローラとして形成されており、紙送りローラ２１２の上方で軸方向に複数並設された従動ローラ支持部材２１３ａに回動自在に軸支持されている。この従動ローラ２１３は、従動ローラ支持部材２１３ａに取り付けられているバネ等の付勢部材２１３ｂにより紙送りローラ２１２に押圧されており、紙送りローラ２１２の正逆回転駆動に追従して正逆回転するようになっている。これにより、ロール紙を両面からしっかりと押さえ込んで送り出すことができるので、高精度な記録を行うことができる。
【００２４】
プラテン２１４は、記録可能な最大用紙幅より若干大きい長さの矩形平板状に形成されて紙送りローラ２１２の搬送下流側の直近に配設されている。ペーパーガイド２１５も、記録可能な最大用紙幅より若干大きい長さの矩形平板状に形成されてプラテン２１４の搬送下流側の直近に配設されている。なお、プラテン２１４及びペーパーガイド２１５の詳細は後述する。
【００２５】
用紙吸引部２１６は、プラテン２１４及びペーパーガイド２１５の下部に配設された圧力室２１６ａと、圧力室２１６ａの下部に配設された図示しないファンを備えている。圧力室２１６ａは、上面の一部が開放された箱状に形成されており、上面の開放部にプラテン２１４及びペーパーガイド２１５が取り付けられ、底面に装着された管継手２１６ｂを介してファンが取り付けられている。
【００２６】
カッタ１２９は、刃先が下方を向くようにして、上下方向に昇降可能であって主走査方向に移動可能に配設されている。このカッタ１２９は、例えばソレノイド等により上下方向に昇降され、キャリッジ１２２とともに主走査方向に移動されるようになっている。したがって、カッタ１２９を移動させるための手段を別途設ける必要は無いので、省スペースを図ることができるとともに、コストを抑えることができる。なお、カッタ１２９をキャリッジ１２２から分離して独自のベルト機構やモータ等により主走査方向に移動するように構成しても良い。
【００２７】
ここで、背景技術でも述べたように、ロール紙のカール癖により記録ヘッド１２１直下の部分が浮き上がることがあり、ロール紙が記録ヘッド１２１に接触して汚染されてしまうという不具合が生じる場合がある。そこで、本実施形態のインクジェット式プリンタ１００のプラテン２１４及びペーパーガイド２１５は、ロール紙が記録ヘッド１２１と接触することによる汚染を防止して高精度な記録状態を維持することができる構成となっており、先ずその原理について図を参照して説明する。
【００２８】
図４は、上記プラテン２１４及び上記ペーパーガイド２１５とその周辺部を模式的に示す図である。図４（Ａ）に示すように、従来は図示点線で示すように、ペーパーガイド２１５のペーパーガイド面２１５ａは、プラテン２１４のプラテン面２１４ａと比べ単に低くなるように配設されている。このため、プラテン面２１４ａから垂れ下がったロール紙Ｐ１は、ニップ点Ｎとプラテン面２１４ａの上流点Ｕと下流点Ｄとの３点で支持されることになる。この状態では、ロール紙Ｐ１の先端がペーパーガイド面２１５ａに接するまでは、ロール紙Ｐ１の先端部分は片持ち梁状となるために落ち込み易くなる。そして、プラテン面２１４ａの下流点Ｄを支点にして、ロール紙Ｐ１の先端部分が下がった分、プラテン面２１４ａの下流点Ｄよりも上流側のロール紙Ｐ１の部分、すなわち記録ヘッド１２１直下のロール紙Ｐ１の部分が浮き上がり易くなる。
【００２９】
そこで、本発明では図示実線で示すように、プラテン面２１４ａとペーパーガイド面２１５ａを繋ぐ面に段部２１７が設けられている。すなわち、この段部２１７は、平坦なプラテン面２１４ａから続く下方に傾斜した傾斜面２１７ａと、この傾斜面２１７ａから続きペーパーガイド面２１５ａに繋がる平坦面２１７ｂで構成されている。このため、プラテン面２１４ａから垂れ下がったロール紙Ｐ２の先端は、段部２１７の平坦面２１７ｂに接して持ち上げられるので、ロール紙Ｐ２はニップ点Ｎとプラテン面２１４ａの上流点Ｕから下流点Ｄにかけての略全面とで支持されることになる。したがって、記録ヘッド１２１直下のロール紙Ｐ２の部分の浮き上がりを抑えて平坦に近付けることができる。
【００３０】
ここで、ロール紙の種類によってカールの大きさが異なるが、段部２１７がこれらのロール紙に対応できるようにするために、段部２１７の高さや位置についてコンピュータシミュレーションと実験を行って最適化を図った。特に吸引では十分に浮き上がりを抑えることができないロール紙の中で、剛性が強いロール紙と剛性が弱いロール紙での両立が重要であり、剛性の弱いロール紙の場合は上記段部２１７のみで対応可能であったが、剛性の強いロール紙では上記段部２１７のみでは対応不可であった。
【００３１】
すなわち、図４（Ｂ）の図示点線で示すように、プラテン面２１４ａから突き出た剛性の強いロール紙Ｐ３の先端は、初期搬送時には垂れ下がらないので段部２１７の平坦面２１７ｂに接せず、ある程度搬送された後に自重で垂れ下がって段部２１７の平坦面２１７ｂに接する。この状態では、ロール紙Ｐ３の先端部分はプラテン面２１４ａからかなり突き出ているので、プラテン面２１４ａの上流点Ｕ付近を支点にして記録ヘッド１２１直下のロール紙Ｐ３の部分が浮き上がり易くなる。
【００３２】
そこで、本発明では図示実線で示すように、プラテン面２１４ａとペーパーガイド面２１５ａを繋ぐ面に設けた段部２１７の搬送下流側の一部を下げた構成としている。すなわち、この段部２１７は、平坦なプラテン面２１４ａから続く下方に傾斜した傾斜面２１７ａと、この傾斜面２１７ａに続く平坦面２１７ｂと、この平坦面２１７ｂから続きペーパーガイド面２１５ａに繋がる下方に傾斜した傾斜面２１７ｃで構成されている。このため、プラテン面２１４ａから垂れ下がったロール紙Ｐ４の先端は、傾斜面２１７ｃに沿って落ち込み易くなるので、ロール紙Ｐ４の先端部分が下がった分、記録ヘッド１２１直下のロール紙Ｐ４の部分も下がって平坦に近付けることができる。そこで、本実施形態では、図４（Ｂ）に示す構成のプラテン２１４及びペーパーガイド２１５としており、以下で図を参照して説明する。
【００３３】
図５は、上記プラテン２１４及び上記ペーパーガイド２１５の詳細を示す斜視図である。プラテン２１４は、複数の矩形状の吸引溝２１４ｂがプラテン面（第１の案内面）２１４ａの主走査方向に所定間隔を空けて一列配設されている。この吸引溝２１４ｂは、平坦な底面の四方が傾斜した側壁で囲まれた逆四角錐台に形成されている。そして、各吸引溝２１４ｂの底面及び各吸引溝２１４ｂの仕切壁２１４ｃの頂面には、複数の貫通した吸引孔２１４ｄが穿設されている。
【００３４】
また、プラテン２１４におけるロール紙の側縁部に対応するプラテン面２１４ａの位置には、用紙吸引部１６０に通じる矩形状の開口部２１４ｅが穿設されている。この開口部２１４ｅには、図示しない吸収部材が嵌め込まれ、ロール紙を縁無し記録する際にロール紙の縁から外れたインク粒を回収するようになっている。この吸収部材としては、適度な通気性を有していれば良く、例えばスポンジ、吸水性のポリマ、フェルト状の繊維質材、不織布等が使用される。
【００３５】
ペーパーガイド２１５には、略中央を主走査方向に延びるカッタ段差２１５ｂが形成されている。このカッタ段差２１５ｂは、カッタ１２９がロール紙を幅方向にカッティングする際にペーパーガイド２１５を傷付けないように、ロール紙の下面から突出したカッタ１２９の刃先が入り込むことができる大きさに形成されている。これにより、ロール紙の記録部分と未記録部分とを確実に切り離すことができる。そして、ペーパーガイド２１５は、カッタ段差２１５ｂを境として、搬送下流側はペーパーガイド面（第２の案内面）２１５ａとして形成され、搬送上流側はペーパーガイド面２１５ａとプラテン面２１４ａを繋ぐ中間面（第３の案内面）２１７ａとして形成されている。
【００３６】
すなわち、ペーパーガイド面２１５ａはプラテン面２１４ａよりも低く配設され、これらの面２１５ａ、２１４ａを繋ぐ中間面２１７ａとプラテン面２１４ａの一部に段部２１７が設けられている。この段部２１７は、平坦なプラテン面２１４ａの搬送下流側に位置する下方に傾斜したプラテン面（第１の傾斜面）２１４ａと、この傾斜したプラテン面２１４ａに続く平坦な中間面（平坦面）２１７ａと、この平坦な中間面２１７ａから続きペーパーガイド面２１５ａに繋がる下方に傾斜した中間面（第２の傾斜面）２１７ａで構成されている。
【００３７】
これにより、ロール紙の先端が平坦なプラテン面２１４ａから垂れ下がったときは、傾斜したプラテン面２１４ａを滑って平坦な中間面２１７ａにより支持されるので、ロール紙には浮き上がり方向とは逆方向の力が掛かることになり、特に記録ヘッド１２１直下でのロール紙の浮き上がりを防止することができる。さらに、ロール紙の先端が平坦な中間面２１７ａから垂れ下がったときは、傾斜した中間面２１７ａを滑るので、それ以降はロール紙の自重により平坦となり、特に記録ヘッド１２１直下でのロール紙の浮き上がりを防止することができる。したがって、紙姿勢が安定して記録ヘッド１２１とロール紙とのギャップが小さくなるので、記録ヘッド１２１をロール紙に更に近付けることにより、更に画質を向上させることができる。
【００３８】
なお、段部２１７の高さ、すなわち平坦なプラテン面２１４ａと平坦な中間面２１７ａとの高低差は、ロール紙の湾曲度合いに基づいて設定される。これにより、ロール紙の浮き上がりを確実に防止することができる。また、段部２１７は、ロール紙の種類に応じて形成すれば良く、例えば下方に傾斜した中間面２１７ａを形成せずに下方に傾斜したプラテン面２１４ａと平坦な中間面２１７ａのみで構成しても良く、また、下方に傾斜した中間面２１７ａの代わりに上方に傾斜した中間面２１７ａで構成しても良く、さらに複数の段階的な構成にしても良い。
【００３９】
さらに、中間面２１７ａとペーパーガイド面２１５ａには、複数のレール状のリブ２１５ｃ、２１５ｄが配設されている。各リブ２１５ｃ、２１５ｄは、それぞれ主走査方向に所定間隔を空けて一列配設され、リブ２１５ｃとリブ２１５ｄは、それぞれ副走査方向に直線状となるように配設されている。そして、各リブ２１５ｃ、２１５ｄの間の中間面２１７ａとペーパーガイド面２１５ａには、複数の貫通した吸引孔２１５ｅ、２１５ｆが穿設されている。
【００４０】
以上のような構成において、用紙吸引部２１６のファンを回転させることにより、プラテン２１４及びペーパーガイド２１５に穿設されている吸引孔２１４ｄ、２１５ｅ、２１５ｆから圧力室２１６ａ内に吸気され、ファンを通って外部に排気される。したがって、プラテン２１４及びペーパーガイド２１５の上面にロール紙が供給されると、ロール紙の下面側に負圧が発生するので、ロール紙をプラテン２１４及びペーパーガイド２１５の上面に吸着させてロール紙の浮き上がりを完全に防止して紙姿勢を安定化することができ、記録精度を高精度に確実に維持することができる。なお、上述したように、プラテン２１４とペーパーガイド２１５には段部２１７を設けており、ある程度の紙姿勢の安定化を図ることができるので、用紙吸引部２１６を必要以上に高性能化させる必要は無く、コスト低減を図ることができる。
【００４１】
このような構成において、インクジェット式プリンタ１００を使用する場合は、先ず、給紙部１１０からロール紙ホルダ１１１を構成するスピンドル１１３を取り出し、図６に示すように、スピンドル１１３に挿入されている一方のロール紙押さえ１１４をスピンドル１１３の一端から引き抜く。そして、図７に示すように、スピンドル１１３の一端をロール紙Ｒの軸穴Ｃの一端から挿入して貫通させ、図８に示すように、ロール紙Ｒの軸穴Ｃの一端をスピンドル１１３の他端側に挿入固定されている他方のロール紙押さえ１１４にはめ込んで当接させる。続いて、一方のロール紙押さえ１１４をスピンドル１１３の一端から挿入して、ロール紙Ｒの軸穴Ｃの他端に填め込む。これにより、ロール紙Ｒはスピンドル１１３と共に回転可能となる。
【００４２】
次に、図９に示すように、ロール紙Ｒが挿入されたスピンドル１１３の両端を持って給紙部１１０まで持ち上げる。ここで、図１０に示すように、スピンドル受け１１５には、スピンドル１１３の端部を一時的に載置するための比較的浅い窪み１１５ａと、スピンドル１１３の端部を回転可能に軸支するための比較的深い窪み１１５ｂが前後に並設されている。手前の窪み１１５ａは、重量のあるロール紙Ｒが挿入されたスピンドル１１３を正規の窪み１１５ｂに一時に填め込む作業は困難性が伴うために、仮置きをするために設けられている。
【００４３】
そこで、図１０に示すように、ロール紙Ｒが挿入されたスピンドル１１３の両端部をスピンドル受け１１５の仮置きの窪み１１５ａに一旦載置し、その後、図１１に示すように、先ず、ロール紙Ｒが挿入されたスピンドル１１３の一端部を対応するスピンドル受け１１４の正規の窪み１１５ｂに掛け、次に、ロール紙Ｒが挿入されたスピンドル１１３の他端部を対応するスピンドル受け１１５の正規の窪み１１５ｂに掛ける。これにより、ロール紙Ｒが挿入されたスピンドル１１３を給紙部１１０に安全かつ容易にセットすることができる。
【００４４】
次に、図１２に示すように、ロール紙Ｒの先端を下方に引き出して記録部１２０の搬送経路を通し、さらに図１３に示すように、排紙部１３０の搬送経路まで通す。そして、図１４に示すように、ロール紙Ｒを巻き取り方向に回転させてロール紙Ｒの先端を例えば排紙ガイド１３１に形成されているマーカＭに位置決めする。その後、インクジェット式プリンタ１００を起動して、ロール紙Ｒを副走査方向に給紙しつつ記録ヘッド１２１を主走査方向に移動させながらインク滴を吐出させ、ロール紙Ｒに所定の情報を記録する。
【産業上の利用可能性】
【００４５】
媒体搬送装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４６】
【図１】本発明の実施の形態に係る記録装置の１つであるインクジェット式プリンタの構成例を示す斜視図である。
【図２】図１のプリンタの主要部の内部構成例を示す斜視図である。
【図３】図１のプリンタの搬送部の詳細を示す側面図である。
【図４】図３の搬送部のプラテン及びペーパーガイドとその周辺部を模式的に示す図である。
【図５】図３の搬送部のプラテン及びペーパーガイドの詳細を示す斜視図である。
【図６】図１のプリンタの使用手順を示す第１の図である。
【図７】図１のプリンタの使用手順を示す第２の図である。
【図８】図１のプリンタの使用手順を示す第３の図である。
【図９】図１のプリンタの使用手順を示す第４の図である。
【図１０】図１のプリンタの使用手順を示す第５の図である。
【図１１】図１のプリンタの使用手順を示す第６の図である。
【図１２】図１のプリンタの使用手順を示す第７の図である。
【図１３】図１のプリンタの使用手順を示す第８の図である。
【図１４】図１のプリンタの使用手順を示す第９の図である。
【符号の説明】
【００４７】
１０  インクカートリッジ、１００  インクジェット式プリンタ、１１０  給紙部、１１１  ロール紙ホルダ、１１２  ロール紙カバー、１１３  スピンドル、１１４  ロール紙押さえ、１１５  スピンドル受け、１２０  記録部、１２１  記録ヘッド、１２２  キャリッジ、１２３  ＦＦＣ、１２４  インクチューブ、１２５  上蓋、１２６  前蓋、１２７  レール、１２８  キャリッジベルト、１２９  カッタ、１３０  排紙部、１３１  排紙ガイド、１４０  脚部、１４１  コロ、１４２  支持柱、１４３  補強棒、１５０  インクカートリッジホルダ、１５１  ホルダ本体、１５２  カバー、２００  搬送部、２１１  給紙ガイド、２１２  紙送りローラ、２１３  従動ローラ、２１４  プラテン、２１４ａ  プラテン面、２１５  ペーパーガイド、２１５ａ  ペーパーガイド面、２１６  用紙吸引部、２１７  段部、２１７ａ  中間面
【図１】
2006224506.tif 000003
【図２】
2006224506.tif 000004
【図３】
2006224506.tif 000005
【図４】
2006224506.tif 000006
【図５】
2006224506.tif 000007
【図６】
2006224506.tif 000008
【図７】
2006224506.tif 000009
【図８】
2006224506.tif 000010
【図９】
2006224506.tif 000011
【図１０】
2006224506.tif 000012
【図１１】
2006224506.tif 000013
【図１２】
2006224506.tif 000014
【図１３】
2006224506.tif 000015
【図１４】
2006224506.tif 000016